(57)【要約】【課題】従来、左右一対のＸ線発生管を有する歯牙Ｘ線像撮影テレビカメラは、構造上長大で位置設定が面倒であり、Ｉ・Ｉ管には高電圧を要した。また単体のワイヤを有するＸ線用ＣＣＤセンサも開示されているが立体撮像は行われていなかった。これらを解決する立体Ｘ線像による歯科用診断装置を提供する。【解決手段】口腔外に配置される立体Ｘ線像撮影用の左右一対のＸ線発生管と、その出力交互の切り替え装置と、患者の口腔内に配置されるＸ線変換部とその信号処理部及び画像の無線送信機とを備えた一体型のワイヤレス型の歯牙Ｘ線画像検出器と、その受信機あるいは、ワイヤ付のＸ線画像検出器並びに、送出される左右画像のメモリから選択表示する立体Ｘ線像観察装置とからなる。【選択図】図１
2005304866.tif 000002
【特許請求の範囲】
【請求項１】
患者の口腔外に配置される立体Ｘ線像撮影用の左右一対のＸ線発生管と、
前記一対のＸ線発生管へ供給する電源を切り替える切り替え操作部と、
患者の口腔内に配置される、歯牙部を透過したＸ線を画像信号に変換するＸ線変換部と、前記変換された歯牙Ｘ線画像を電気信号として取り出すスイッチアレイ部及び、前記取り出した電気信号を処理し画像信号として出力する信号処理部とを有する歯牙Ｘ線画像検出器と、
前記歯牙Ｘ線画像検出器によって撮像された左右画像信号を記録する記録装置及び、
立体画像を構成するように所要の左右の画像を前記記録装置から選択表示する立体Ｘ線像観察装置とからなることを特徴とする立体Ｘ線像による歯科用診断装置。
【請求項２】
前記信号処理部から出力される画像信号が、デジタル画像信号であることを特徴とする請求項１記載の立体Ｘ線像による歯科用診断装置。
【請求項３】
前記歯牙Ｘ線画像検出器のＸ線変換部が、
Ｘ線−電荷の変換材料でＸ線のエネルギーを直接電荷量に変換する直接変換方式であることを特徴とする請求項１又は２に記載の立体Ｘ線像による歯科用診断装置。
【請求項４】
前記歯牙Ｘ線画像検出器のＸ線変換部が、
シンチレータを用いてＸ線を光に変換した後フォトダイオードで電荷に変換する間接変換方式であることを特徴とする請求項１又は２に記載の立体Ｘ線像による歯科用診断装置。
【請求項５】
前記歯牙Ｘ線画像検出器が無線送信機を備えたワイヤレス型であることを特徴とする請求項１〜４のいずれか１項に記載の立体Ｘ線像による歯科用診断装置。
【請求項６】
前記左右一対のＸ線発生装置が、ほぼ人間の目の間隔に並べて設置されてなることを特徴とする請求項１〜５のいずれか１項に記載の立体Ｘ線像による歯科用診断装置。
【発明の詳細な説明】
【技術分野】
【０００１】
本発明は、Ｘ線像観察による歯科用診断装置に係り、特に立体Ｘ線像による歯牙等の位置、方向関係の確認を容易にする立体Ｘ線像による歯科用診断装置に関する。
【背景技術】
【０００２】
従来、立体Ｘ線像を利用した歯牙の診断における装置の構成は、
患者の口腔外に配置される立体Ｘ線像撮影用の左右のＸ線発生管と、その出力を切り替える装置を有し、歯牙Ｘ線像撮影用のテレビカメラは、患者の口腔内に配置されるＸ線蛍光板と該Ｘ線蛍光板上の発光画像を写し出すためのミラーとからなるＸ線受像部と、当該受像部に接続される前部にレンズを嵌挿した鏡筒とイメージインテンシファイアとテレビカメラヘッドとを一体構造となしたものがあった。また、単体で画像伝送用のワイヤを有するＸ線用ＣＣＤセンサも開示されているが、立体撮影は行われていなかった。
【特許文献１】特許第２６８４６６６号公報
【特許文献２】特開平７−１５３５９０号公報
【発明の開示】
【発明が解決しようとする課題】
【０００３】
しかしながら、これら立体Ｘ線像による前項記載の撮像用の歯牙Ｘ線像撮影テレビカメラは、構造上長大であり、かつ所要位置に設定するには面倒であるなどの問題があった。
また、イメージインテンシファイアには高い電圧を必要とした。
さらに、単体で画像伝送用のワイヤを有するＸ線用ＣＣＤセンサで立体Ｘ線像を撮影するには、例えば指先で口腔内にＣＣＤセンサを保持し、かつ一台のＸ線発生管を移動させて被写体に対し左右から一定角度と、一定距離に位置を定める過程で「ずれ」を生ずるために、鮮明な立体Ｘ線像が得られないといった撮影上の問題があり、調整が困難であった。本発明はこれらの問題を解決する立体Ｘ線像による歯科用診断装置を提供する。
【課題を解決するための手段】
【０００４】
上記に鑑み本発明者等は鋭意実験研究の結果次の手段によってこの課題を解決した。
（１）患者の口腔外に配置される立体Ｘ線像撮影用の左右一対のＸ線発生管と、
前記一対のＸ線発生管へ供給する電源を切り替える切り替え操作部と、
患者の口腔内に配置される、歯牙部を透過したＸ線を画像信号に変換するＸ線変換部と、前記変換された歯牙Ｘ線画像を電気信号として取り出すスイッチアレイ部及び、前記取り出した電気信号を処理し画像信号として出力する信号処理部とを有する歯牙Ｘ線画像検出器と、前記歯牙Ｘ線画像検出器によって撮像された左右画像信号を記録する記録装置及び、立体画像を構成するように所要の左右の画像を前記記録装置から選択表示する立体Ｘ線像観察装置とからなることを特徴とする立体Ｘ線像による歯科用診断装置。
（２）前記信号処理部から出力される画像信号が、デジタル画像信号であることを特徴とする前項（１）記載の立体Ｘ線像による歯科用診断装置。
（３）  前記歯牙Ｘ線画像検出器のＸ線変換部が、Ｘ線−電荷の変換材料でＸ線のエネルギーを直接電荷量に変換する直接変換方式であることを特徴とする前項（１）又は（２）に記載の立体Ｘ線像による歯科用診断装置。
（４）  前記歯牙Ｘ線画像検出器のＸ線変換部が、シンチレータを用いてＸ線を光に変換した後フォトダイオードで電荷に変換する間接変換方式であることを特徴とする前項（１）又は（２）に記載の立体Ｘ線像による歯科用診断装置。
（５）  前記歯牙Ｘ線画像検出器が無線送信機を備えたワイヤレス型であることを特徴とする前項（１）〜（４）のいずれか１項に記載の立体Ｘ線像による歯科用診断装置。
（６）  前記左右一対のＸ線発生装置が、ほぼ人間の目の間隔に並べて設置されてなることを特徴とする前項（１）〜（５）のいずれか１項に記載の立体Ｘ線像による歯科用診断装置。
【発明の効果】
【０００５】
１、本発明の請求項１によれば、
患者の口腔外に配置される立体Ｘ線像撮影用の左右一対のＸ線発生管は、
患者の口腔内歯牙の裏面に当接した歯牙Ｘ線画像検出器のＸ線変換部に対し、
好ましくは一台のステレオ雲台にほぼ人間の目の間隔に並べて設置され、左右から照射されるＸ線が被写体に集中する位置、即ち左右から見た被写体にＸ線が集束する位置で左右一対の画像を写し出すことができる。
そしてこの際、前記一対のＸ線発生管へ供給する電源の切り替え操作部により、電気的に左右交互に切り替えるため、ずれのない的確な設定位置を得ることができる。
なお、前記患者の口腔内にセットされる無線送信機を備えた歯牙Ｘ線画像検出器は、小型ケースに収納されているため、指先又は位置決め器具等により口腔内の目的の位置に容易にセットすることができ、取り扱いが容易である。
【０００６】
また受信側は、画像を受信する受信器と例えば、デジタルカメラの本体を有し、ここを経由して前記撮像された左右一対の画像信号の記録装置と、立体画像を構成するように所要の左右の画像を、前記画像信号の記録装置から選択表示する立体Ｘ線像観察装置とからなり、口腔内の立体的歯牙像を簡易で、かつ、鮮明に観察できるため的確な歯牙等の診断を行うことができる。
また、高感度のＸ線変換部を試用することにより、Ｘ線の露出時間を大幅に短縮でき、被爆量を軽減することができる。
さらに、各患者の歯牙像は前記画像信号の記録装置に蓄積でき、資料のファイリング及び再現が容易であり、またコンピュータに接続することによりデータの処理や整理の簡易化を図ることができる。
２．請求項２記載の発明によれば前記請求項１による効果に加えて、前記信号処理部から出力される画像信号が、デジタル画像信号であるため、伝送系での信号劣化が無く高忠実度の画像伝送ができる。
【０００７】
３、請求項３の発明によれば、前記請求項１又は２による効果に加え、
歯牙Ｘ線画像検出器のＸ線変換部が、Ｘ線−電荷の変換材料でＸ線のエネルギーを直接電荷量に変換する直接変換方式であるため、リアルタイムの観察、精度の高い空間解像力とコントラスト特性、高感度、高Ｘ線量子効果、高Ｓ／Ｎ比、リニアな変換特性等、高品質のＸ線画像を得ることができ、的確な立体Ｘ線像による歯科用診断に供することができる。
４、請求項４の発明によれば、前記請求項１による効果に加え、
歯牙Ｘ線画像検出器のＸ線変換部が、シンチレータを用いてＸ線を光に変換した後、フォトダイオードで電荷に変換する従来の間接変換方式であるため、
既製の該方式による歯牙Ｘ線画像検出器を用いて、立体Ｘ線像による歯科用診断に供することができる。
５、請求項５の発明によれば、前記請求項１〜３による効果に加え、
歯牙Ｘ線画像検出器が無線送信機を備えたワイヤレス型であるため、口腔内から画像伝送用のワイヤがぶら下がり延長されることがなく、取り扱いが容易でかつ簡潔である。
【発明を実施するための最良の形態】
【０００８】
次ぎに、本発明を実施するための最良の形態の一事例を図面を参照して説明する。
図１は本発明実施例の立体Ｘ線像による歯科用診断装置の配置概略図である。
図において１は撮像部、２は電源及び切り替え操作部、３は受像部、４は立体Ｘ線像観察部、５は電源、６はケーブル、７は時間及び切り替え設定器、８は切り替え操作器、９は信号線、１０は切り替え配分器、１１は背もたれ、１２は座部、１３は多関節アーム、１４は右Ｘ線管、１５は左Ｘ線管、１６はステレオ雲台、１７はワイヤレス型の歯牙Ｘ線画像検出器、１８は画像送信方向、１９は受信アンテナ、２０は受信器及びデジタルカメラ本体、２１は表示器、２２は画像メモリ、２３は画像検索設定及び外部送出器、２４は左側Ｘ線像表示器、２５は偏光フィルタ、２６は右側Ｘ線像表示器、２７は偏光フィルタ、２８はハーフミラー、２９は直交偏光フィルタ眼鏡、３０は外部機器への接続部を示す。
図２は本発明実施例で患者がワイヤレス型のＸ線画像検出器を口腔内にセットした時の外観斜視図である。
図において、３３は患者、３４は手指、３５は頬部を示す。
図３は図２のＡ−Ａ’断面図である。
図において、３６は歯牙、３７は手指の押圧方向を示す。
【０００９】
図１に示すように、立体Ｘ線像による歯科用診断装置は、撮像部１と、電源及び切り替え操作部２と、受像部３と、立体Ｘ線像観察部４に大別され、撮像部１の撮像画面は無線によって受像部３に送信される。
図２及び図３に示すように患者３３は、口腔内の頬部３５内所要個所の歯牙３６の裏面に、ワイヤレス型のＸ線画像検出器１７のＸ線変換部を当接させる（患者は図１の座部１２に着座し、前記ワイヤレス型のＸ線検出器１７は図１の位置にあるものとする）。しかる後に、手指３４で押圧方向３７へワイヤレス型のＸ線画像検出器１７を歯牙３６へ軽く押しつけて固定する。
なお、患者３３の口腔外には前記ワイヤレス型のＸ線画像検出器１７のＸ線変換部に対して立体像を結像するように、右Ｘ線管１４及び左Ｘ線管１５が一対として多関節アーム１３の先端部のステレオ雲台１６にほぼ人間の目の間隔に並べて配置されている。
また、前記右Ｘ線管１４及び左Ｘ線管１５には各Ｘ線管へ供給する電源を交互に切り替え、かつ、Ｘ線出力強度を設定する時間及び切り替え設定器７と、切り替え操作器８及び、Ｘ線の電源５がそれぞれ接続されている。
【００１０】
また、右Ｘ線管１４及び左Ｘ線管１５から照射されるＸ線が集中する位置、即ち左右から見た被写体（歯牙３６）に結像する位置に設定された前記ワイヤレス型の歯牙Ｘ線画像検出器１７には、時間及び切り替え設定器７及び切り替え操作器８により一対のＸ線発生管に供給する前記電源５を交互に切り替えることにより左右一対の所要歯牙位置にＸ線が照射される。
この照射により歯牙を透過したＸ線は、前記ワイヤレス型のＸ線画像検出器１７に入力されて左右一対の歯牙像のデジタル画像信号に変換され、画像信号が生成される。
そして、該画像信号はワイヤレス型の歯牙Ｘ線画像検出器１７と一体化された無線送信機（図示せず）によって、画像送信方向１８のように外部に送信される。
この送信信号は受像部３の受信アンテナ１９を経由して受信器及びデジタルカメラ本体２０で標準方式デジタル画像信号化され、表示器２１に表示されると共に記録装置である画像メモリ２２に蓄積される。
【００１１】
立体画像を得るには、前記画像メモリ２２から前記所要の左右一対の歯牙像のデジタル画像信号を、画像検索設定及び外部送出器２３により任意に読み出し選出し、立体Ｘ線像観察部４に送出する。
立体像観察装置は種々の公知のものがあるが、事例として偏光方式のものを示すと、左側Ｘ線像表示器２４、右側Ｘ線像表示器２６を用い、各表示器の前に偏光フィルタ２５、２７の偏光軸が互いに直交するように配置し、各表示器に映し出された画像をハーフミラー２８を介して左右偏光軸の直交した直交偏光フィルタ眼鏡２９を用いて観察することにより立体像を得ることができる。
【００１２】
図４は本発明の立体Ｘ線像による歯科用診断装置のブロックダイアである。
図において、３１は右眼、３２は左眼を示す。
電源及び切り替え操作部２には、Ｘ線用の電源５があり 、時間及び切り替え設定器７を経由して、切り替え配分器１０に接続され、同器は切り替え操作器８をＯＮにすると自動的に前記時間及び切り替え設定器７で設定されたモードに従って交互に切り替えられて、右Ｘ線管１４及び左Ｘ線管１５は交互に点灯し、Ｘ線を放射する。
そして、右Ｘ線管１４あるいは左Ｘ線管１５から照射されるＸ線が一点に集中する位置、即ち左右から見た被写体（歯牙３６）に結像する位置に設定された前記ワイヤレス型のＸ線画像検出器１７には左右一対のデジタル画像信号が生成される。
【００１３】
本装置に使用されるワイヤレス型のＸ線画像検出器１７は、Ｘ線を電荷に変換するＸ線変換部（図示せず）と、前記変換された電荷を電気信号として取り出すスイッチアレイ部と、前記取り出した信号を処理しデジタル画像として出力する信号処理部及び、前記デジタル画像信号を外部に送出する無線送信機とを備えている。
【００１４】
そして、前記ワイヤレス型の歯牙Ｘ線画像検出器１７のＸ線変換部が、Ｘ線−電荷の変換材料でＸ線のエネルギーを直接電荷量に変換する直接変換方式の場合は、リアルタイムの観察、精度の高い空間解像力とコントラスト特性、高感度、高Ｘ線量子効果、高Ｓ／Ｎ比、リニアな変換特性等、高品質のＸ線画像を得ることができる。
さらに、前記ワイヤレス型のＸ線画像検出器１７のＸ線変換部が、シンチレータを用いてＸ線を光に変換した後、フォトダイオードで電荷に変換する従来の間接変換方式であってもよい。
【００１５】
従って、上記いずれのＸ線変換部でも、無線送信機を付加して一体となし、ワイヤレス型のＸ線画像検出器１７とすることができる。
また、前記一体型のワイヤレス型のＸ線画像検出器１７は、電源（小型電池）を有し、無線送信機はマイクロ波型（送信アンテナ内蔵）により数ｍの送信距離を得ることができる。
【００１６】
前記の画像信号は、ワイヤレス型のＸ線画像検出器１７と一体化された無線送信機によって、画像送信方向１８のように外部に送信される。この送信信号は、受像部３の前記受信アンテナ１９を経由して受信器及びデジタルカメラ本体２０で標準方式デジタル画像信号化され、表示器２１に表示されると共に画像メモリ２２に蓄積される。
また、画像検索設定及び外部送出器２３からは外部機器への接続部３０があり、
前記各患者の歯牙画像信号は、例えば外部のコンピュータに接続することにより、画像データの加工処理や、資料のファイリング及び再現等整理の簡易化を図ることができる。
【００１７】
立体画像を得るには、前記画像メモリ２２から前記所要の左右一対の歯牙像のデジタル画像信号を読み出し、画像検索設定及び外部送出器２３により任意に選出し、立体Ｘ線像観察部４に送出する。
立体Ｘ線像観察部４の偏光方式のものを示すと、左側Ｘ線像表示器２４と、右側Ｘ線像表示器２６を用い、各表示器の前に偏光フィルタ２５、２７の偏光軸が互いに直交するように配置し、各表示器に映し出された画像をハーフミラー２８を介して左右偏光軸の直交した直交偏光フィルタ眼鏡２９を用いて観察することにより立体像を得ることができる。
【００１８】
以上にＸ線画像検出器がワイヤレス型の場合を説明したが、従来のワイヤ付のＸ線画像検出器を用い直接受信部に伝送しても（図示せず）同様な結果を得ることができる。なお、前記Ｘ線画像検出器１７から出力される画像信号はアナログ信号であってもよい。
【図面の簡単な説明】
【００１９】
【図１】本発明実施例の立体Ｘ線像による歯科用診断装置の配置概略図
【図２】本発明実施例で患者がワイヤレス型のＸ線画像検出器を口腔内にセットした時の外観斜視図
【図３】図２のＡ−Ａ’断面図
【図４】本発明実施例の立体Ｘ線像による歯科用診断装置のブロックダイア
【符号の説明】
【００２０】
１：撮像部、                        ２：電源及び切り替え操作部、
３：受像部、                        ４：立体Ｘ線像観察部、
５：電源、                          ６：ケーブル、
７：時間及び切り替え設定器、        ８：切り替え操作器、
９：信号線、                        １０：切り替え配分器、
１１：背もたれ、                    １２：座部、
１３：多関節アーム、                １４：右Ｘ線管、
１５：左Ｘ線管、                    １６：ステレオ雲台、
１７：ワイヤレス型の歯牙Ｘ線画像検出器、
１８：画像送信方向、                １９：受信アンテナ、                
２０：受信器及びデジタルカメラ本体、
２１：表示器、                      ２２：画像メモリ、
２３：画像検索設定及び外部送出器、  ２４：左側Ｘ線像表示器、
２５：偏光フィルタ、                ２６：右側Ｘ線像表示器、
２７：偏光フィルタ、                ２８：ハーフミラー、
２９：直交偏光フィルタ眼鏡、        ３０：外部機器への接続部、
３１：右眼、                        ３２：左眼、
３３：患者、                        ３４：手指、
３５：頬部、                        ３６：歯牙、
３７：手指の押圧方向、
【図１】
2005304866.tif 000003
【図２】
2005304866.tif 000004
【図３】
2005304866.tif 000005
【図４】
2005304866.tif 000006